【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
弾性床材であって、
最上部表面および反対側の底部表面を有する裏打ち部分であって、該底部表面は、該弾性床材が選択された配向で配置される場合に床に実質的に接するように構成されており、そしてここで、該裏打ち部分は、少なくとも３つの裏打ち層を含み、ここで、該３つの裏打ち層は、第一の一次裏打ち層,第二の一次裏打ち層、および二次裏打ち層である、裏打ち部分;
最上部表面および反対側の底部表面を有する装飾部分であって、ここで、該装飾部分は、該裏打ち部分の該最上部表面が該装飾部分の該底部表面に接触するように、該裏打ち部分の上に重なるように構成されており、そしてここで、該装飾部分は、インク層および装飾層を含み、そしてここで、該装飾層は、配向ポリプロピレン（ＯＰＰ）、製織ポリエチレン（ＰＥ）、不織ＰＥ、製織ポリプロピレン（ＰＰ）、不織ＰＰ、製織ＰＥＴ、不織ＰＥＴ、製織ナイロン、不織ナイロン、従来の紙、従来の箔のうちの少なくとも１つを含み、ここで、該装飾層がフィルムを含み、そしてここで、該フィルムが、３層フィルムであって、最上部スキン、中心コアおよび底部スキンを含み、ここで、該３層フィルムの該最上部スキンの上に該インク層の少なくとも一部分が付着され、ここで、該中心コアが、該最上部スキンと該底部スキンとの間に配置され、そしてここで、該３層フィルムの該底部スキンが、１つ以上の一次裏打ち層の部分を形成する材料と適合性であるように構成されている、装飾部分；および
露出した外側表面および反対側の底部表面を有する磨耗層であって、該外側表面は、周囲環境に露出されるように構成されており、そして該底部表面は、該床材の該装飾部分の上に実質的に重なるように構成されている、磨耗層
を含み、
ここで、該弾性床材は、ポリ塩化ビニル（ＰＶＣ）材料を含まず；そして
ここで、該磨耗層は、イオノマー、ポリエチレンテレフタレート（ＰＥＴ）、ポリプロピレン、ポリトリメチレンテレフタレート（ＰＴＴ）、ナイロン６、またはナイロン６，６のうちの少なくとも１つを含む、
弾性床材。
【請求項２】
前記少なくとも３つの裏打ち層のうちの１つの裏打ち層が、前記裏打ち部分の前記底部表面を規定し、そして該少なくとも３つの裏打ち層のうちの１つの裏打ち層が、該裏打ち部分の前記最上部表面を規定する、請求項１に記載の弾性床材。
【請求項３】
前記第一のおよび第二の一次裏打ち層が、低密度ポリエチレン（ＬＤＰＥ）、線状低密度ポリエチレン（ＬＬＤＰＥ）、ＥＭＡ、ＥＶＡ、ＰＥ−ＰＰゴム、従来の熱可塑性エラストマー（ＴＰＥ）、従来の熱可塑性オレフィン（ＴＰＯ）、α−オレフィンポリエチレンコポリマー、ＰＥＴ、またはエチレンアクリル酸ブチル（ＥＢＡ）のうちの少なくとも１つを含有する、請求項１に記載の弾性床材。
【請求項４】
前記第一のおよび第二の一次裏打ち層が、前記二次裏打ち層の上に実質的に重なるように構成されている、請求項１に記載の弾性床材。
【請求項５】
前記二次裏打ち層が、ＯＰＰ、製織ＰＥ、不織ＰＥ、製織ＰＰ、不織ＰＰ、製織ＰＥＴ、不織ＰＥＴ、製織ナイロン、または不織ナイロンのうちの少なくとも１つを含む、請求項４に記載の弾性床材。
【請求項６】
前記裏打ち部分が、前記第一の一次裏打ち層と前記第二の一次裏打ち層との間に配置されたガラス繊維層をさらに備える、請求項１に記載の弾性床材。
【請求項７】
前記裏打ち層のうちの少なくとも１つが、実質的に線状のエチレンポリマーおよび均質に分岐した線状エチレンポリマーを含有する、請求項１に記載の弾性床材。
【請求項８】
前記裏打ち層のうちの少なくとも１つにおいて、別の均質に分岐したエチレンポリマー、低密度ポリエチレン、不均質に分岐したＬＬＤＰＥ、不均質に分岐したＵＬＤＰＥ、中密度ポリエチレン、高密度ポリエチレン、グラフト化ポリエチレン、エチレンアクリル酸コポリマー、エチレン酢酸ビニルコポリマー、エチレンアクリル酸エチルコポリマー、ポリスチレン、ポリプロピレン、ポリエステル、ポリウレタン、ポリブチレン、ポリアミド、ポリカーボネート、ゴム、エチレンプロピレンポリマー、エチレンスチレンポリマー、スチレンブロックコポリマー、またはバルカネートをさらに含有する、請求項７に記載の弾性床材。
【請求項９】
前記インク層が前記装飾部分の前記最上部表面を規定する、請求項１に記載の弾性床材。
【請求項１０】
前記インク層が前記装飾部分の前記底部表面を規定する、請求項１に記載の弾性床材。
【請求項１１】
前記インク層が、水ベースの顔料、ダイズベースの顔料、または溶媒ベースの顔料からなる群より選択される少なくとも１つのインクを含有する、請求項１に記載の弾性床材。
【請求項１２】
前記磨耗層が、前記装飾部分の前記最上部表面が該磨耗層の前記底部表面に接触するように、該装飾部分に隣接して配置されている、請求項１に記載の弾性床材。
【請求項１３】
少なくとも１つのタイ層をさらに備え、ここで、該タイ層は、前記弾性床材の対向する層の間に配置されて、別の類似しない材料を結合させて該床材の該別の対向する層を一緒に形成するように構成されている、請求項１に記載の弾性床材。
【請求項１４】
前記タイ層の少なくとも１つが、前記床材の前記磨耗層の前記底部表面と、前記装飾部分の前記最上部表面との間に配置されている、請求項１３に記載の弾性床材。
【請求項１５】
前記タイ層の少なくとも１つが、前記装飾部分の前記底部表面と、前記裏打ち部分の前記最上部表面との間に配置されている、請求項１３に記載の弾性床材。
【請求項１６】
前記タイ層が、水性押出しコーティングプライマー、ポリエチレンイミン（ＰＥＩ）、従来のアクリル材料、無水マレイン酸（ＭＡＨ）、エチレン−アクリル酸メチル（ＥＭＡ）、またはエチレン−酢酸ビニル（ＥＶＡ）のうちの少なくとも１つを含有する、請求項１３に記載の弾性床材。
【請求項１７】
前記装飾層が、前記床材の前記装飾部分の前記底部表面を規定し、そして前記インク層が、該装飾層の上に実質的に重なるように構成されている、請求項１に記載の弾性床材。
【請求項１８】
前記第一のおよび第二の一次裏打ち層が、産業で使用後の絨毯の複合材または消費者が使用後の絨毯の複合材を含む、請求項１に記載の弾性床材。
【請求項１９】
弾性床材を作製するための方法であって、以下：
最上部表面および反対側の底部表面を有する裏打ち部分を提供する工程であって、該底部表面は、該弾性床材が選択された配向で配置される場合に床に実質的に接するように構成されており、ここで、該裏打ち部分が、少なくとも３つの裏打ち層を含み、ここで、該３つの裏打ち層が、第一の一次裏打ち層、第二の一次裏打ち層、および二次裏打ち層である、工程;
装飾部分を、該裏打ち部分の最上部表面に付着させる工程であって、ここで、該装飾部分は、インク層および装飾層を含み、そしてここで、該装飾層は、配向ポリプロピレン（ＯＰＰ）、製織ポリエチレン（ＰＥ）、不織ＰＥ、製織ポリプロピレン（ＰＰ）、不織ＰＰ、製織ＰＥＴ、不織ＰＥＴ、製織ナイロン、不織ナイロン、従来の紙、従来の箔のうちの少なくとも１つを含み、ここで、該装飾層がフィルムを含み、そしてここで、該フィルムが、３層フィルムであって、最上部スキン、中心コアおよび底部スキンを含み、ここで、該３層フィルムの該最上部スキンの上に該インク層の少なくとも一部分が付着され、ここで、該中心コアが、該最上部スキンと該底部スキンとの間に配置され、そしてここで、該３層フィルムの該底部スキンが、１つ以上の一次裏打ち層の部分を形成する材料と適合性であるように構成されている、工程；および
該磨耗層を該装飾部分の最上部表面に付着させる工程
を含み、
ここで、該弾性床材は、ポリ塩化ビニル（ＰＶＣ）材料を含まず；そして
ここで、該磨耗層は、イオノマー、ポリエチレンテレフタレート（ＰＥＴ）、ポリプロピレン、ポリトリメチレンテレフタレート（ＰＴＴ）、ナイロン６、またはナイロン６，６のうちの少なくとも１つを含む、
方法。
【請求項２０】
前記少なくとも３つの裏打ち層のうちの前記二次裏打ち層が、該裏打ち部分の前記底部表面を規定し、そしてここで、前記少なくとも３つの裏打ち層の前記第一の一次裏打ち層が、該裏打ち部分の前記最上部表面を規定し、さらに、タイ層を、該裏打ち部分の最上部表面に付着させる工程を含み、ここで、該装飾部分が、該裏打ち部分に付着させられた該タイ層に付着させられる、請求項１９に記載の方法。
【請求項２１】
前記装飾部分の前記底部表面が、前記裏打ち部分の前記最上部表面または該裏打ち部分に付着させられた前記タイ層に実質的に直接付着させられる、請求項２０に記載の方法。
【請求項２２】
１つ以上のタイ層を前記装飾部分の前記最上部表面に付着させる工程をさらに包含し、前記磨耗層が、該装飾部分に付着させられた該タイ層に付着させられる、請求項１９に記載の方法。
【請求項２３】
前記磨耗層が、前記装飾部分の前記最上部表面または該装飾部分に付着させられた前記タイ層に実質的に直接付着させられる、請求項２２に記載の方法。
【請求項２４】
前記一次裏打ち層のうちの１つ以上が、産業で使用後の絨毯の複合材および／または消費者が使用後の絨毯の複合材を含む、請求項１に記載の弾性床材。
【請求項２５】
前記一次裏打ち層のうちの１つ以上が、産業で使用後の絨毯の複合材および／または消費者が使用後の絨毯の複合材を含む、請求項１９に記載の方法。